(57)【要約】【課題】光源と光偏光器との間の光路に反射鏡を備え、光源から出射されたフレア光線が反射鏡の近傍を通過して、光偏光器に入射することなく被走査面上に入射することを抑制することによって、フレア光線による画像への影響を抑制することができる光走査装置、及び画像形成装置を提供する。【解決手段】光走査装置である書込装置５５は、光源である第一ＬＤ１ａ及び第二ＬＤ１ｂと、光源から出射された光線を偏向するポリゴンミラー９により偏向走査された偏向光線である走査光線ＳＬ及び同期光線ＢＤＬを対応する感光体表面上へ導き結像させる走査光学系である複数のＦθレンズ１２と、光源から出射された光線を折り返させてポリゴンミラー９に向けて反射する反射鏡である折り返しミラー７とを備え、折り返しミラー７の反射面から延長した位置に光を遮蔽する遮蔽部材である第三遮蔽板６６を備える。【選択図】図２
2010032682.tif 000002
【特許請求の範囲】
【請求項１】
光源と、
該光源から出射された光線を偏向する光偏光器と、
該光偏光器により偏向走査された偏向光線を対応する被走査面上へ導き結像させる走査光学系と、
上記光源から出射された光線を折り返させて上記光偏光器に向けて反射する反射鏡とを備えた光走査装置において、
上記反射鏡の反射面から延長した位置に光を遮蔽する遮蔽部材を設けたことを特徴とする光走査装置。
【請求項２】
請求項１の光走査装置において、
上記光源を複数備え、
該光源から出射された光線は上記被走査面に到達するまでに、他の光源から出射された光線と交差することを特徴とする光走査装置。
【請求項３】
請求項１の光走査装置において、
上記反射鏡を装置本体に対して固定する固定部材を備え、
上記遮蔽部材は該固定部材に一体に形成したことを特徴とする光走査装置。
【請求項４】
請求項１、２または３の光走査装置において、
上記遮蔽部材に入射した光線の反射光が上記光源以外の箇所に到達するように配置されていることを特徴とする光走査装置。
【請求項５】
請求項１、２、３または４の光走査装置において、
上記遮蔽部材は、上記光源から出射された光線が上記光偏光器により偏向された上記偏向光線のうち、画像形成に寄与しない部分を遮蔽し、該偏向光線が上記遮蔽部材に入射した反射光が上記被走査面上の主走査方向の画像領域外に到達するように上記遮蔽部材が配置されていることを特徴とする光走査装置。
【請求項６】
請求項１、２、３、４または５の光走査装置において、
上記遮蔽部材は、上記光源から出射された光線が上記光偏光器により偏向された上記偏向光線のうち、画像形成に寄与しない部分を遮蔽し、該偏向光線が上記遮蔽部材に入射した反射光が上記被走査面上の副走査方向の画像領域外に到達するように上記遮蔽部材に角度がつけられていることを特徴とする光走査装置。
【請求項７】
請求項１、２、３、４、５または６の光走査装置において、
上記遮蔽部材は、反射防止塗装または反射防止加工が施されていることを特徴とする光走査装置。
【請求項８】
請求項１、２、３、４、５、６または７の光走査装置において、
上記遮蔽部材は、上記光源からの光線または上記偏向光線のうち、画像形成に寄与しない部分が照射される場所を含む場所に低反射率体が取り付けられていることを特徴とする光走査装置。
【請求項９】
潜像担持体の表面に光走査手段を用いて光線を照射することにより該潜像担持体の表面に潜像を形成し、該潜像を現像することで得た画像を最終的に記録材上に転移させることで画像を形成する画像形成装置において、
上記光走査手段として、請求項１、２、３、４、５、６、７または８の光走査装置を用いることを特徴とする画像形成装置。
【発明の詳細な説明】
【技術分野】
【０００１】
本発明は、複写機、ファクシミリ、プリンタ等の画像形成装置に搭載される光走査装置、並びにこの光走査装置を備えた画像形成装置に関するものである。
【背景技術】
【０００２】
従来、プリンタ、複写機、ファクシミリ、これらの複合機能を有する複合機などの画像形成装置は、光源から出射された光線を、像担持体（例えば、感光体）に照射して潜像の書き込みを行う光走査装置を備えている。このような画像形成装置では、像担持体上に形成された潜像を現像して可視像化した後、像担持体から直接、または、中間転写体を介して可視像を転写材に転写した後、転写材上の可視像を定着して画像を得ている。また、カラーの画像形成装置としては、各像担持体上に形成された潜像を現像して可視像化した後、転写搬送ベルト等に担持された記録用紙等の転写材を各像担持体の転写部搬送し、各像担持体上に形成された各色の可視像を転写材に重ね合わせて転写し、転写材上に転写された可視像を定着して画像を得るものがある。
【０００３】
従来、この種の画像形成装置では、光走査装置が備える光源として半導体レーザーが配置された光源部としての半導体レーザーユニット（以下「ＬＤユニット」という）から出射された画像形成に寄与しない光線（フレア光線）が被走査面上に到達し、画像形成品質を低下させることを防止する構成が提案されている。
特許文献１に記載の画像形成装置は、光源としての半導体レーザー（以下「ＬＤ」という）から出射された光線のうち、ＬＤのサイドローブやＬＤユニットの内部反射等により発生するフレア光線を、偏光器のカバーと一体となった遮蔽部材によって遮蔽し、フレア光線が被走査面上への到達することを防止している。更にＬＤユニットの外装であるオプティカルハウジングと一体となった遮蔽部材によってフレア光線を遮蔽する構成ついても記載されている。
【０００４】
また、特許文献２や特許文献３には、光走査装置として複数ビーム走査装置を備え、光源としてのＬＤの裏面から出射されたモニタ用の光が拡散され、拡散光としてＬＤユニットから出射された場合でも、拡散光が被走査面上に到達し、画像形成品質を低下させることを妨げる画像形成装置が記載されている。特許文献２に記載の画像形成装置では、ＬＤからの拡散光が偏光器のカバーに照射されるように光源部を配置することで、拡散光が被走査面上に到達することを防止している。特許文献３に記載の画像形成装置では、複数ＬＤからの拡散光が互いに交差するように各部材を配置し、複数ＬＤからの拡散光が互いに交差する位置に遮蔽部材を設けて拡散光を遮蔽することで、拡散光が被走査面上に到達することを防止している。
また、特許文献１乃至３に記載の光走査装置では、光源から出射された光線を偏光する偏光器との間の光路上に反射鏡を配置し、光路を折り返して光走査装置のレイアウトのコンパクト化を図っている。そして、これらの光走査装置では、光源と反射鏡との間の光路上に遮蔽部材を設けることによってフレア光線を遮蔽している。
【０００５】
【特許文献１】特許第４００８２６２号公報
【特許文献２】特許第３８７５８１３号公報
【特許文献３】特許第４０７７１９１号公報
【発明の開示】
【発明が解決しようとする課題】
【０００６】
しかしながら、反射鏡によって光路を折り返す光走査装置において、特許文献１乃至３の構成ではフレア光線による画像形成品質の低下を防止することができない場合があった。
図１４は、従来の光走査装置の一例を示す構成図である。図１４に示す光走査装置としての書込装置５５は、光源としての第一ＬＤ１ａ及び第二ＬＤ１ｂから出射した光線は、それぞれ、第一コリメータレンズ２ａ及び第二コリメータレンズ２ｂを透過し、第一主光線４ａ及び第二主光線４ｂとしてＬＤユニット３から出射する。第一主光線４ａ及び第二主光線４ｂは各々アパーチャ５を通過し、シリンドリカルレンズ６を透過して、反射鏡である折り返しミラー７により反射されて、ポリゴンミラー９に入射する。偏光器であるポリゴンミラー９はポリゴンモータ１０によって回転駆動され、画像形成に寄与する第一主光線４ａ及び第二主光線４ｂは回転するポリゴンミラー９に入射して反射することにより、走査光線ＳＬと同期光線ＢＤＬとになる。なお、図１４に示す書込装置５５は、紙面の手前−奥方向を高さ方向とした場合、第一ＬＤ１ａと第二ＬＤ１ｂとは同じ高さに配置されており、第一主光線４ａと第二主光線４ｂとはポリゴンミラー９に入射するまでは同じ高さの光路を進行する。
走査光線ＳＬはＦθレンズ１２を透過後、被走査面である感光体４０の表面に到達し潜像形成を行う。また、同期光線ＢＤＬは同期光反射ミラー１１ａで反射して同期検知板１１に到達後、信号変換され第一ＬＤ１ａ及び第二ＬＤ１ｂの発光タイミングの制御に用いられる。ここで、折り返しミラー７は固定部材である板バネ８によって図示しないオプティカルハウジングに固定されている。
【０００７】
このような光走査装置としての書込装置５５では、第一ＬＤ１ａ及び第二ＬＤ１ｂのサイドローブ、第一コリメータレンズ２ａ及び第二コリメータレンズ２ｂのコバ面（レンズ側面の内側の面）の反射光、及び、ＬＤユニット３の内部反射光等、第一主光線４ａ及び第二主光線４ｂとは異なる画像形成に寄与しない光線がＬＤユニット３から出射されることがある。すなわち、図１４に示すように、第一主光線４ａの進行方向の両側に現れる第一フレア光線ＦＬａ１（図中、第一主光線４ａの進行方向右側）及び第二フレア光線ＦＬａ２（図中、第一主光線４ａの進行方向左側）と、第二主光線４ｂの進行方向の両側に現れる第三フレア光線ＦＬｂ３（図中、第二主光線４ｂの進行方向右側）及び第四フレア光線ＦＬｂ４（図中、第二主光線４ｂの進行方向左側）とがそれである。特許文献１に記載の光書込装置と同様に、ポリゴンモータ１０のカバーに付設した第一遮蔽板６４を設けることにより、第一フレア光線ＦＬａ１と第三フレア光線ＦＬｂ３の一部とを遮ることが可能である。また、図示しないオプティカルハウジングに付設した第二遮蔽板６５により第二フレア光線ＦＬａ２の一部と第四フレア光線ＦＬｂ４とを遮ることが可能である。第二遮蔽板６５によって遮られなかった第二フレア光線ＦＬａ２の一部はシリンドリカルレンズ６を透過して、折り返しミラー７により反射されて、ポリゴンミラー９に入射して走査光線ＳＬまたは同期光線ＢＤＬに混ざった状態となる。一方、第一遮蔽板６４によって遮られなかった第三フレア光線ＦＬｂ３の一部のうちのほとんどはシリンドリカルレンズ６を透過して、折り返しミラー７により反射されて、ポリゴンミラー９に入射して走査光線ＳＬまたは同期光線ＢＤＬに混ざった状態となる。しかし、第三フレア光線ＦＬｂ３の一部のうちのさらに一部はシリンドリカルレンズ６を透過後、折り返しミラー７に入射せず、Ｆθレンズ１２を通って感光体４０上に達する感光体到達フレアＭＦＬとなる。
【０００８】
フレア光線は、主光線と比較して、光線の有するエネルギー量が小さいため、フレア光線のうち主光線と同様にポリゴンミラー９に入射して、走査光線ＳＬまたは同期光線ＢＤＬに混ざったものは、ポリゴンミラー９の偏光されることによって散らされた状態となり、画像への影響はほとんどない。しかし、フレア光線のうち折り返しミラー７に入射せずに感光体４０上に達した感光体到達フレアＭＦＬはポリゴンミラー９に入射せず、感光体４０上に到達するため、第二ＬＤ１ｂが発光中は感光体４０上の特定の箇所を常時露光する状態となる。このため、画像形成装置によって生成される画像上の感光体４０上の感光体到達フレアＭＦＬが照射される位置に対応する部分には、副走査方向に延在する黒筋や黒帯が発生し、画像品質を著しく低下させる。
【０００９】
このような画像品質の低下を防止するためには、第三フレア光線ＦＬｂ３の一部である感光体到達フレアＭＦＬを遮蔽して感光体に達しないようにしなければならない。
しかしながら、感光体到達フレアＭＦＬの原因となる第三フレア光線ＦＬｂ３は、第二ＬＤ１ｂから出射されたものであるため、感光体到達フレアＭＦＬは２つの主光線と同一の走査面を進行するものである。そして、図１４に示すように、感光体到達フレアＭＦＬは第一主光線４ａが折り返しミラー７に入射する直前まで第一主光線４ａの光路上を通るため、特許文献１乃至３のように、光源と反射鏡との間の光路に遮蔽部材を設けた構成では第一主光線４ａを遮蔽することなく感光体到達フレアＭＦＬのみを遮蔽することはできない。
また、感光体到達フレアＭＦＬは２つの主光線と同一の走査面を進行するため、画像形成に寄与する走査光線ＳＬ及び同期光線ＢＤＬの通過領域に入り込んだ感光体到達フレアＭＦＬのみを遮蔽することは困難である。このため、２つの主光線がポリゴンミラー９により偏向された後の光路では遮蔽が困難であるため、感光体到達フレアＭＦＬがＬＤユニット３から出射されてからポリゴンミラー９に入射するまでの光路上で遮蔽することが必要となる。
なお、図１４を用いた説明では、同一の高さに二つの光源を備えた光走査装置で、一方の光源から出射したフレア光線が反射鏡の近傍を通過して感光体表面に到達することによって生じる不具合について説明した。しかし、フレア光線が反射鏡の近傍を通過することによって不具合が生じるのは同一の高さに複数の光源を備える光走査装置に限るものではない。同一の高さに光源が一つの光走査装置であっても、フレア光線を遮蔽する遮蔽部材の設置条件や部材の誤差などによって反射鏡の近傍をフレア光線が通過することを防止できず、上述したような不具合は生じ得る。
【００１０】
本発明は以上の問題点に鑑みなされたものであり、その目的は、光源と光偏光器との間の光路に反射鏡を備え、光源から出射されたフレア光線が反射鏡の近傍を通過して、光偏光器に入射することなく被走査面上に入射することを抑制することによって、フレア光線による画像への影響を抑制することができる光走査装置、及び画像形成装置を提供することである。
【課題を解決するための手段】
【００１１】
上記目的を達成するために、請求項１の発明は、光源と、該光源から出射された光線を偏向する光偏光器と、該光偏光器により偏向走査された偏向光線を対応する被走査面上へ導き結像させる走査光学系と、上記光源から出射された光線を折り返させて上記光偏光器に向けて反射する反射鏡とを備えた光走査装置において、上記反射鏡の反射面から延長した位置に光を遮蔽する遮蔽部材を設けたことを特徴とするものである。
また、請求項２の発明は、請求項１の光走査装置において、上記光源を複数備え、該光源から出射された光線は上記被走査面に到達するまでに、他の光源から出射された光線と交差することを特徴とするものである。
また、請求項３の発明は、請求項１の光走査装置において、上記反射鏡を装置本体に対して固定する固定部材を備え、上記遮蔽部材は該固定部材に一体に形成したことを特徴とするものである。
また、請求項４の発明は、請求項１、２または３の光走査装置において、上記遮蔽部材に入射した光線の反射光が上記光源以外の箇所に到達するように配置されていることを特徴とするものである。
また、請求項５の発明は、請求項１、２、３または４の光走査装置において、上記遮蔽部材は、上記光源から出射された光線が上記光偏光器により偏向された上記偏向光線のうち、画像形成に寄与しない部分を遮蔽し、該偏向光線が上記遮蔽部材に入射した反射光が上記被走査面上の主走査方向の画像領域外に到達するように上記遮蔽部材が配置されていることを特徴とするものである。
また、請求項６の発明は、請求項１、２、３、４または５の光走査装置において、上記遮蔽部材は、上記光源から出射された光線が上記光偏光器により偏向された上記偏向光線のうち、画像形成に寄与しない部分を遮蔽し、該偏向光線が上記遮蔽部材に入射した反射光が上記被走査面上の副走査方向の画像領域外に到達するように上記遮蔽部材に角度がつけられていることを特徴とするものである。
また、請求項７の発明は、請求項１、２、３、４、５または６の光走査装置において、上記遮蔽部材は、反射防止塗装または反射防止加工が施されていることを特徴とするものである。
また、請求項８の発明は、請求項１、２、３、４、５、６または７の光走査装置において、上記遮蔽部材は、上記光源からの光線または上記偏向光線のうち、画像形成に寄与しない部分が照射される場所を含む場所に低反射率体が取り付けられていることを特徴とするものである。
また、請求項９の発明は、潜像担持体の表面に光走査手段を用いて光線を照射することにより該潜像担持体の表面に潜像を形成し、該潜像を現像することで得た画像を最終的に記録材上に転移させることで画像を形成する画像形成装置において、上記光走査手段として、請求項１、２、３、４、５、６、７または８の光走査装置を用いることを特徴とするものである。
【発明の効果】
【００１２】
請求項１乃至９の発明においては、反射鏡の反射面から延長した位置に光を遮蔽する遮蔽部材を設けることにより、光源から出射されたフレア光線が反射鏡の近傍を通過することを防止することができ、フレア光線が光偏光器に入射することなく被走査面上に入射することを抑制することができる。これにより、フレア光線による画像への影響を抑制することができるという優れた効果がある。
【発明を実施するための最良の形態】
【００１３】
以下、本発明を、画像形成装置に適用した一実施形態について説明する。まず、本実施形態に係る画像形成装置の構成及び動作について説明する。
図１は、本実施形態に係る画像形成装置（以下、プリンタ５００という）の全体の概略構成図である。プリンタ５００はタンデム型中間転写式の電子写真装置であり、本体１００と本体１００を載せる給紙テーブルとを備える。なお、図中の添え字Ｙ、Ｍ、Ｃ、Ｋは、イエロー、シアン、マゼンタ、ブラック（黒）の各色をそれぞれ示す。
【００１４】
本体１００は、中央付近に無端ベルト状の中間転写ベルト９９を備える。中間転写ベルト９９は、複数の支持ローラに掛け回して図１中時計回りに回転搬送可能とする。図１では、支持ローラ１９の左に、中間転写ベルト用のクリーニング装置１７を設ける。クリーニング装置１７は画像転写後に中間転写ベルト９９上に残留する残留トナーを除去する。
【００１５】
支持ローラ１４と支持ローラ１５間に張り渡した中間転写ベルト９９上には、その搬送方向に沿って、イエロー、シアン、マゼンタ、ブラックの画像形成手段としての４つの画像形成部１８Ｙ、１８Ｍ、１８Ｃ、１８Ｋ（以下１８Ｙ、Ｍ、Ｃ、Ｋのように略記する。）を横に並べて配置してタンデム画像形成部２０を構成する。そして、タンデム画像形成部２０の上には、図１に示すように露光装置である光走査装置としての書込装置５５を備えている。プリンタ１００は４つの画像形成部１８に対して二つの書込装置５５を備え、一つの書込装置５５が二つの感光体４０に対して露光光を照射して潜像を形成する構成である。
【００１６】
タンデム画像形成部２０の各画像形成部１８は、イエロー、シアン、マゼンタ、ブラックの各色トナー像を担持する像担持体としてのドラム状の感光体４０Ｙ、Ｍ、Ｃ、Ｋを有している。また、各画像形成部１８は、感光体４０Ｙ、Ｍ、Ｃ、Ｋの周りに、帯電装置４３Ｙ、Ｍ、Ｃ、Ｋ、書込装置５５によって感光体４０Ｙ、Ｍ、Ｃ、Ｋ上に形成された潜像を現像する現像装置４１Ｙ、Ｍ、Ｃ、Ｋ、及び、中間転写ベルト９９上に画像を転写した後の感光体４０Ｙ、Ｍ、Ｃ、Ｋの表面をクリーニングする感光体クリーニング装置４２Ｙ、Ｍ、Ｃ、Ｋ等を備える。
また、感光体４０Ｙ、Ｍ、Ｃ、Ｋから中間転写ベルト９９にトナー像を転写する一次転写位置には、中間転写ベルト９９を間に挟んで各感光体４０Ｙ、Ｍ、Ｃ、Ｋに対向するように一次転写手段の構成要素としての一次転写ローラ６２Ｙ、Ｍ、Ｃ、Ｋが設けられている。また、支持ローラ１４は中間転写ベルトを回転駆動する駆動ローラである。ブラック単色画像を中間転写ベルト９９上に形成する場合には駆動ローラではない支持ローラ１５、１５’を移動させて、イエロー、シアン、マゼンタの感光体４０Ｙ、Ｍ、Ｃを中間転写ベルトから離間させることも可能である。
【００１７】
本体１００は、中間転写ベルト９９を挟んでタンデム画像形成部２０と反対の側に二次転写装置２２を備える。二次転写装置２２は、図１に示す例では、二次転写対向ローラ１６に二次転写ローラ１６’を押し当てることで二次転写部を形成し、二次転写対向ローラ１６と二次転写ローラ１６’とに転写電界を印加することで中間転写ベルト９９上の画像を転写紙としてのシートＳに転写する。また、本体１００は、二次転写装置２２の横（図１中左側）に、シートＳ上の転写画像を定着する定着装置２５を設ける。また、二次転写装置２２と定着装置２５との間には、二次転写装置２２によって中間転写ベルト９９上の画像の転写を受けたシートＳを定着装置２５まで搬送する搬送ベルト２４を備えている。定着装置２５は、無端ベルトである定着ベルト２６に加圧ローラ２７を押し当てて構成する。搬送ベルト２４により、画像転写後のシートＳをこの定着装置２５へと搬送する。なお、図１に示す例では、二次転写装置２２および定着装置２５の下に、上述したタンデム画像形成部２０と平行に、シートＳの両面に画像を記録すべくシートＳを反転するシート反転装置２８を備える。
【００１８】
プリンタ１００に画像データが送られ、作像開始の信号を受けると、不図示の駆動モータで支持ローラ１４を回転駆動して他の複数の支持ローラを従動回転することで、中間転写ベルト９９を無端移動させる。同時に、書込装置５５によって個々の画像形成部１８で各感光体４０上にそれぞれ、イエロー、シアン、マゼンタ、ブラックに対応した潜像が書き込まれ、各画像形成部１８が備える各現像装置４１が潜像を現像することにより、各感光体４０上にそれぞれ、イエロー、シアン、マゼンタ、ブラックの単色画像を形成する。そして、中間転写ベルト９９の無端移動とともに、それらの単色画像を各感光体４０と各一次転写ローラ６２との対向部である一次転写部で順次中間転写ベルト９９に転写し、中間転写ベルト９９上にカラー画像を形成する。
【００１９】
また、給紙テーブル２００の給紙ローラ４２の１つを選択回転し、ペーパーバンク４３に多段に備える給紙カセット４４の１つからシートＳを繰り出し、分離ローラ４５で１枚ずつ分離して給紙路４６に入れ、搬送ローラ４７で搬送して複写機本体１００内の本体側給紙路４８に導き、レジストローラ４９に突き当てて止める。または、手差し給紙ローラ５０を回転して手差しトレイ５１上のシートＳを繰り出し、手差し分離ローラ５２で１枚ずつ分離して手差し給紙路５３に入れ、同じくレジストローラ４９に突き当てて止める。そして、中間転写ベルト９９上のカラー画像にタイミングを合わせてレジストローラ４９を回転し、二次転写装置２２の二次転写ローラ１６’と中間転写ベルト９９との間にシートＳを送り込み、中間転写ベルト９９上のカラー画像を二次転写装置２２でシートＳ上に転写してシートＳ上にカラー画像を記録する。画像転写後のシートＳは、搬送ベルト２４で搬送して定着装置２５へと送り込み、定着装置２５で熱と圧力とを加えてカラー画像をシートＳに定着した後、排出ローラ５６によってプリンタ５００の外に排出し、排紙トレイ５７上にスタックする。
また両面プリントを行う場合は、不図示の切換爪で切り換えて定着装置２５を通過したシートＳをシート反転装置２８に入れ、そこで反転して再び転写位置へと導き、裏面にも画像を記録して後、排出ローラ５６で排紙トレイ５７上に排出する。一方、画像転写後の中間転写ベルト９９は、ベルトクリーニング装置１７によって画像転写後に表面に残留する残留トナーを除去され、タンデム画像形成部２０による再度の画像形成に備える。
【００２０】
次に、本実施形態の特徴部である書込装置５５について説明する。
図２は、書込装置５５を上方から見た平面図であり、図３は、書込装置５５を側方から見た断面図である。
図２に示すように書込装置５５は、図１に示すように１つの書込装置５５から２つの感光体４０に対して露光光を照射するものであり、ポリゴンミラー９以外の光学系をそれぞれ二つずつ備える。
書込装置５５は、光源が容器に複数収納された光源部としてのＬＤユニット３を備え、ＬＤユニット３には平面方向に２つ（第一ＬＤ１ａ及び第二ＬＤ１ｂ）の光源が高さ方向（図２中の手前−奥方向）に４組配置されており、計８つの光源を備える。
光源としての第一ＬＤ１ａ及び第二ＬＤ１ｂから出射した光線は、それぞれ、第一コリメータレンズ２ａ及び第二コリメータレンズ２ｂを透過し、第一主光線４ａ及び第二主光線４ｂとしてＬＤユニット３から出射する。第一主光線４ａ及び第二主光線４ｂは各々アパーチャ５を通過し、シリンドリカルレンズ６を透過して、反射鏡である折り返しミラー７により反射されて、ポリゴンミラー９に入射する。偏光器であるポリゴンミラー９はポリゴンモータ１０によって回転駆動され、画像形成に寄与する第一主光線４ａ及び第二主光線４ｂは回転するポリゴンミラー９に入射して反射することにより、走査光線ＳＬと同期光線ＢＤＬとになる。書込装置５５は、図３中の紙面の手前−奥方向は高さ方向であり、第一ＬＤ１ａと第二ＬＤ１ｂとは同じ高さに配置されている。そして、第一主光線４ａと第二主光線４ｂとはポリゴンミラー９に入射するまでは同じ高さの光路を進行する。
走査光線ＳＬは、Ｆθレンズ１２を透過後、上部ミラー３１と下部ミラー３２とで折り返されて、下側にあるＦθレンズ１２を透過して、第二下部ミラー３３で反射して、書込装置５５のケーシングに設けられた窓部６０から感光体４０に向けて出射する。書込装置５５から出射した走査光線ＳＬが被走査面である感光体４０の表面に到達し潜像形成を行う。
また、同期光線ＢＤＬは同期検知板１１に到達後、信号変換され第一ＬＤ１ａ及び第二ＬＤ１ｂの発光タイミングの制御に用いられる。ここで、折り返しミラー７は固定部材である板バネ８によって図示しないオプティカルハウジングに固定されている。
【００２１】
図４は、図２中の左側の折り返しミラー７近傍の拡大説明図である。また、図５は、板バネ８の斜視図であり、（ａ）、（ｂ）及び（ｃ）とそれぞれことなる角度から板バネ８を見た斜視図である。図６は、折り返しミラー７を板バネ８によってオプティカルハウジングに固定した状態を説明する３面図である。図５（ａ）に示す板バネ８をオプティカルハウジングの底面５５ｂにネジ８１で固定した状態で、図６（ａ）は図５（ａ）中の矢印Ａ方向から見た上面図、図６（ｂ）は図５（ａ）中の矢印Ｂ方向から見た正面図、図６（ｃ）は図５（ａ）中の矢印Ｃ方向から見た側面図である。図６に示すように、折り返しミラー７は、ネジ８１によって底面５５ｂに固定された板バネ８と底面５５ｂから上方に伸びた二つのハウジングリブ５５ａとに挟まれることによって、オプティカルハウジングに固定される。
【００２２】
本実施形態の書込装置５５は、図４、図５、及び図６に示すように、折り返しミラー７を固定する固定部材である板バネ８に横面から横方に延設した形状で第三遮蔽板６６を一体に形成している。板バネ８は一般的な板バネであって０．１［ｍｍ］〜０．５［ｍｍ］の薄厚金属体であり、ＬＤユニット３や他の光学部品に対して極めて高精度に配置される折り返しミラー７の固定部材である。このため、板バネ８と一体に形成した第三遮蔽板６６を備えた構成であれば、板バネ８の部品精度を高精度に作成することにより、第三遮蔽板６６を備えていない構成に比べてあまりコストアップすることなく、感光体到達フレアＭＦＬを遮るための第三遮蔽板６６を精度よく配置することができる。このことから、図２及び図４に示すように、限られたスペースにて第三フレア光線ＦＬｂ３の一部を遮って感光体到達フレアＭＦＬ（図６中の破線）となることを防止しながら第一主光線４ａ、第二主光線４ｂ、走査光線ＳＬ及び同期光線ＢＤＬを遮ることのない限界の位置に板バネ８を配置することができる。
【００２３】
図１４を用いて説明した従来の書込装置５５では、第一主光線４ａと第二主光線４ｂとが交差する位置よりも光源側でフレア光線を遮蔽することが望ましいが、シリンドリカルレンズ６の固定部材等を配置しなければならず困難である。特に、本実施形態の書込装置５５や図１４で示す従来の書込装置５５のように、各々の光線の同一面内における角度が小さい場合、第一主光線４ａ及び第二主光線４ｂを遮ることなく隙間無く遮蔽部材を設けて感光体到達フレアＭＦＬを完全に遮蔽することは難しい。
また、図１４で示すように、感光体到達フレアＭＦＬが通過する折り返しミラー７の横の領域αは、折り返しミラー７と、折り返しミラー７にて反射した第一主光線４ａ及び第二主光線４ｂと、第一主光線４ａ及び第二主光線４ｂがポリゴンミラー９にて反射して偏向された走査光線ＳＬ及び同期光線ＢＤＬと、一枚目のＦθレンズ１２の不図示の固定部材と、折り返しミラー７の固定部材である板バネ８とに囲まれる位置である。そのため、感光体到達フレアＭＦＬの遮蔽を目的とする部材を図示しないオプティカルハウジング上に配置することはスペース的に困難な状況である。例えば、領域αに遮光部材としてオプティカルハウジング上にリブを形成しようとすると、狭い領域であるため、細くて長いリブを形成する必要がある。そして、オプティカルハウジングをアルミダイキャストで作成した場合アルミダイキャストの鋳造条件として、細くて長いリブを形成する金型を作成しても材料が金型のリブの部分に流れ込まない不具合が生じるおそれがあり、このため、製造不良が生じやすい。また、オプティカルハウジングを樹脂で作成する場合、アルミダイキャストに比して製造は容易であるが、樹脂製の細くて長いリブは強度上の不安があり、長期使用によって破損し、感光体到達フレアＭＦＬを遮蔽できなくなるおそれがある。また、樹脂製のオプティカルハウジングでは昇温によって変形するおそれがあるため、高速機種の場合はアルミダイキャスト製が望ましい。このような理由により、領域αに感光体到達フレアＭＦＬを遮蔽するようなリブを立てることを困難である。また、別部材としてリブを作成し、オプティカルハウジング上に固定する方法が考えられるが、部品点数が増加するという問題がある。
これに対して、本実施形態の書込装置５５では折り返しミラー７の固定部材である板バネ８に一体的に遮蔽部材としての第三遮蔽板６６を設けているため、部品点数を増加させることなく、また、狭い領域にリブを形成するような困難性もなく、容易に感光体到達フレアＭＦＬを遮蔽することができる。
【００２４】
また、図１４を用いて説明したような折り返しミラー７の近傍を感光体到達フレアＭＦＬが通過する不具合は、図１４に示すように、同一の高さに複数の光源を備えるために生じやすい。これは、一つの光源から出射した光の主光線を通すための空間を設けるために、他の光源から出射した光のフレア光線が通過する空間を作ってしまうためである。光源が一つであれば、その光源から出射される光の主光線が通過するだけの空間を残してその空間の両側をリブで挟めよい。また、図１４に示す構成では、二つの光源から出射される二本の主光線がポリゴンミラー９の表面で交差する構成であるため、その前の領域では二本の主光線の光軸が徐々に狭まるため、その間に遮蔽部材を設けることは困難である。
また、特許文献３においてはＬＤのモニタにて反射した拡散光について述べられており、ＬＤユニット３内部反射を原因とするフレア光については触れられていない。また、概念上、遮蔽部材の配置が容易であるとの記載があるが、近年の光走査装置及び画像形成装置の小型化の必要性により、遮蔽部材の配置は困難である。
これに対して、本実施形態の書込装置５５では図４や図６（ａ）で示すように、折り返しミラー７の反射面から延長した位置に光を遮蔽する第三遮蔽板６６を設けているので、二本の主光線の光軸の間に遮蔽部材を設ける必要がないため、他の主光線を遮蔽することなく、折り返しミラー７の近傍を通過しようとする感光体到達フレアＭＦＬを遮蔽することができる。
このように、本実施形態の書込装置５５では折り返しミラー７の近傍を通過しようとする感光体到達フレアＭＦＬを確実に遮蔽することができるので、第二ＬＤ１ｂが発光中に感光体４０上の特定の箇所が常時露光されることを防止することができる。このため、画像の副走査方向に延在する黒筋や黒帯の発生を防止することができる。
【００２５】
また、本実施形態の書込装置５５では折り返しミラー７の近傍を通過しようとする感光体到達フレアＭＦＬを遮蔽する遮蔽部材として第三遮蔽板６６を折り返しミラー７の固定部材である板バネ８に一体的設けているが、感光体到達フレアＭＦＬを遮蔽する遮蔽部材としてはこれに限るものではない。例えば、図６（ａ）中の破線で示すマイラー６６ｂのように、光を遮蔽する部材を折り返しミラー７に貼り付けても良い。感光体到達フレアＭＦＬを遮蔽し、且つ、折り返しミラー７に貼り付ける部材としてはマイラーに限るものではなく、また、貼り付ける位置も折り返しミラー７に限らず、板バネ８やハウジングリブ５５ａ等の折り返しミラー７近傍の部材であれば良い。
なお、マイラー６６ｂを貼り付ける構成では、部品点数の増加、貼り付け精度の低下、使用中に貼り付け部が剥がれるといった問題が生じるおそれがあるため、本実施形態のように、板バネ８に一体的形成する構成がより好ましい。
【００２６】
光源である第一ＬＤ１ａ及び第二ＬＤ１ｂは発光光量を制御するために、内部モニタにて発光光量を測定している（ＡＰＣ：Ａｕｔｏ  Ｐｏｗｅｒ  Ｃｏｎｔｒｏｌ）。感光体到達フレアＭＦＬが板バネ８にて反射することで発生する感光体到達フレアの反射光１９がＬＤの内部モニタに到達すると、内部モニタの誤検知により発光光量の低下を招き画像劣化を引き起こすことがある。そこで、板バネ８にて反射した光線が第一ＬＤ１ａ及び第二ＬＤ１ｂに到達しないように板バネ８の角度を設定することが望ましい。
【００２７】
図７は、図２中に示す二つのＬＤユニット３のうち図２中の右側のＬＤユニット３が備える光源（第一ＬＤ１ａ及び第二ＬＤ１ｂ）から、出射された光線が折り返しミラー７及びポリゴンミラー９を経由して感光体４０の表面に照射される状態を模式的に示した上面図である。図７に示すように、第２ＬＤ１ｂから出射した第二主光線４ｂが第二コリメータレンズ２ｂのコバ面で反射し、感光体到達フレアＭＦＬとなりうる。
また、図７に示すように、発光光量の測定及び制御時に発光しポリゴンミラー９に入射したＡＰＣ光線２９は偏光器により走査され、走査光線ＳＬ及び同期光線ＢＤＬの外部を走査ＡＰＣ光線３０となる。この走査ＡＰＣ光線３０が板バネ８の第三遮蔽板６６の裏面（感光体到達フレアＭＦＬを遮蔽する面に対して裏面）に反射し発生する反射光が感光体４０に到達し画像劣化を引き起こすことがある。
【００２８】
そこで、板バネ８の第三遮蔽板６６において、走査ＡＰＣ光線３０が当たる部分及びその近傍の面の構成・形状を走査ＡＰＣ光線３０の反射する方向が感光体４０に光線が行かない方向、即ち感光体４０の画像領域から主走査方向外側になるようにすること、又は副走査方向の図示しないオプティカルハウジング他の部材により遮られるようにすることが望ましい。
【００２９】
まず、第三遮蔽板６６に入射した光線の反射光が、光源や感光体４０の画像領域に入射しないように、反射光の向きを主走査方向にずらす構成について説明する。
図８は、第三遮蔽板６６に入射した光線の反射光が、光源や感光体４０の画像領域に入射する状態を模式的に示した上面図である。図８に示す第三遮蔽板６６の面は感光体到達フレアＭＦＬの入射方向に対して略直角に配置されている。このように配置されていると感光体到達フレアＭＦＬが入射した方向と同方向に反射し、感光体到達フレアＭＦＬが通った経路と略同じ経路を逆行するように反射光が進行するため、第三遮蔽板６６の表面に入射した感光体到達フレアＭＦＬが第二ＬＤ１ｂに到達するおそれがある。また、走査ＡＰＣ光線３０の第三遮蔽板６６の裏面に対する入射角βが小さいため、反射光であるＡＰＣ反射光３４が感光体４０の画像領域に入射する光線の妨げとならにように配置された第四遮蔽部材７８に入射せず、感光体４０の画像領域に入射してしまうおそれがある。
【００３０】
図９は、第三遮蔽板６６に入射した光線の反射光が、光源や感光体４０の画像領域に入射しないように、反射光の向きを主走査方向にずらした状態を模式的に示した上面図である。
図９に示すように、第三遮蔽板６６の面の垂線７５と感光体到達フレアＭＦＬとが角度を有するように第三遮蔽板６６を配置することにより、感光体到達フレアＭＦＬの反射光が、感光体到達フレアＭＦＬが入射した方向とは異なる方向に反射する。詳しくは、図６（ａ）に示すように、第二ＬＤ１ｂから出射した光線のうち画像形成に寄与しない部分である第三フレア光線ＦＬｂ３の第三遮蔽板６６による反射方向が、第三遮蔽板６６に対する第三フレア光線ＦＬｂ３の入射方向とは異なる方向となっている。これにより、感光体到達フレアＭＦＬが通った経路とは異なる経路を反射光が進行するため、第三遮蔽板６６の表面に入射した感光体到達フレアＭＦＬの反射光が第二ＬＤ１ｂに到達することを防止できる。これにより、光源の内部モニタの誤検知により発光光量の低下をすることを防止し、内部モニタの誤検知に起因する画像劣化を防止することができる。
また、図９に示す構成では、走査ＡＰＣ光線３０の第三遮蔽板６６の裏面に対する入射角βが図８で示した構成よりも大きくなっている。このため、走査ＡＰＣ光線３０の反射光であるＡＰＣ反射光３４が感光体４０の画像領域に入射する光線が通過する領域よりも外側に配置された第四遮蔽部材７８に入射し、ＡＰＣ反射光３４が感光体４０の画像領域に入射することを防止することができる。これにより、走査ＡＰＣ光線３０の反射光であるＡＰＣ反射光３４が感光体４０に到達することに起因する画像劣化を防止することができる。
【００３１】
次に、第三遮蔽板６６に入射した光線の反射光が、光源や感光体４０の画像領域に入射しないように、反射光の向きを副走査方向にずらす構成について説明する。
図１０は、第三遮蔽板６６に入射した光線の反射光が、光源や感光体４０の画像領域に入射しないように、反射光の向きを主走査方向にずらした状態を模式的に示した側面図である。
図１０に示すように、板バネ８の第三遮蔽板６６に副走査方向の角度を持たせ、第三遮蔽板６６の面が入射する光線に対して仰角または俯角を有するように設置する。これにより、仮に板バネ８の第三遮蔽板６６で感光体到達フレアＭＦＬが反射しても感光体到達フレアのフレア反射光１９は第一ＬＤ１ａ及び第二ＬＤ１ｂとは副走査方向（高さ方向）にずれた位置に向かって進行し、フレア反射光１９を第一ＬＤ１ａ及び第二ＬＤ１ｂとその内部のモニタに到達しない位置に逃がすことができる。
【００３２】
第二ＬＤ１ｂから出射した第二主光線４ｂが第二コリメータレンズ２ｂのコバ面で反射し、感光体到達フレアＭＦＬとなりうることは既に記載している。ここで、板バネ８の一部である第三遮蔽板６６の平面に対する垂線を垂線７５とし、垂線７５と感光体到達フレアＭＦＬが副走査方向でなす角度を第１の角度θ１とする。感光体到達フレアＭＦＬと感光体到達フレアＭＦＬの反射光１９が副走査方向でなす角度は第２の角度２θ１となる。本実施形態の書込装置５５は、第三遮蔽板６６に対して光源側に第五遮蔽板７６を備え、感光体到達フレアＭＦＬから第五遮蔽板７６の副走査方向距離を第１の距離Ｘ１とし、第三遮蔽板６６と第五遮蔽板７６との光線進行方向距離を第１の長さＬ１としたときに、以下の式（１）を満たすようにθ１を設定することが望ましい。
Ｌ１×ＳＩＮ２θ１＞Ｘ１・・・・・（１）
このように設定することにより、第三遮蔽板６６の表面に入射した感光体到達フレアＭＦＬの反射光が第二ＬＤ１ｂに到達することを防止できる。よって、光源の内部モニタの誤検知により発光光量の低下をすることを防止し、内部モニタの誤検知に起因する画像劣化を防止することができる。
図１０では感光体到達フレアＭＦＬと第一主光線４ａ及び第二主光線４ｂとは副走査方向の同一平面内を通過しているが、同一平面内を通過していなくてもよい。第五遮蔽板７６はオプティカルハウジングの一部でも、ＬＤユニット３の一部でも、アパーチャ５の一部でもよい。
【００３３】
また、ＡＰＣ実行時に第一ＬＤ１ａ及び第二ＬＤ１ｂから出射したＡＰＣ光線２９は第一主光線４ａ及び第二主光線４ｂと同位置を通過し、ポリゴンモータ１０に入射し偏向される。ここで、板バネ８の一部である第三遮蔽板６６の平面に対する垂線を垂線７５とし、垂線７５と走査ＡＰＣ光線３０が副走査方向でなす角度を第３の角度θ２とする。走査ＡＰＣ光線３０と走査ＡＰＣ光線の反射光であるＡＰＣ反射光３４が副走査方向でなす角度は第４の角度２θ２となる。本実施形態の書込装置５５は、第三遮蔽板６６に対して感光体４０側に第六遮蔽板７７を備え、走査ＡＰＣ光線の反射光であるＡＰＣ反射光３４から第六遮蔽板７７の副走査方向距離を第２の距離Ｘ２とし、第三遮蔽板６６と第六遮蔽板７７との光線進行方向距離を第２の長さＬ２としたときに、以下の（２）式を満たすようにθ２を設定することが望ましい。
Ｌ２×ＳＩＮ２θ２＞Ｘ２
このように設定することにより、走査ＡＰＣ光線３０の反射光であるＡＰＣ反射光３４が第六遮蔽板７７に入射し、ＡＰＣ反射光３４が感光体４０の画像領域に入射することを防止することができる。これにより、走査ＡＰＣ光線３０の反射光であるＡＰＣ反射光３４が感光体４０に到達することに起因する画像劣化を防止することができる。
図１０ではθ１＝θ２であるが、θ１＝θ２でなくてもよい。第六遮蔽板７７はオプティカルハウジングの一部でも、図示しない光学素子の固定部材の一部でもよい。
【００３４】
また、板バネ８の第三遮蔽板６６には反射防止塗装または表面を荒らす等の反射防止加工を施してもよい。このような、反射防止加工を施すことにより、第三遮蔽板６６を設けることに起因する二次的な拡散光・反射光（フレア光）の発生を抑える手段を講じておけば、第三遮蔽板６６からの反射光による更なるフレア光の発生要因となることを防止することができる。なお、反射防止加工としては、第三遮蔽板６６のみに限らず板バネ８の他の部分にも施して良い。
【００３５】
また、第三遮蔽板６６を設けることに起因する二次的な拡散光・反射光（フレア光）の発生を抑える手段としては、反射防止塗装または表面を荒らす等の反射防止加工を施したプレート等の別部材である低反射率体を板バネ８の第三遮蔽板６６に貼り付けるようにしてもよい。図１１は、第三遮蔽板６６に低反射率体６６ａを貼り付けた板バネ８の斜視説明図である。低反射率体６６ａとしては羅紗紙等の反射防止部材を取り付けるようにしてもよい。
【００３６】
また、第三遮蔽板６６としては、表面と裏面とで副走査方向の角度が異なるような形状としてもよい。図１２は、表面と裏面とで副走査方向の角度が異なる第三遮蔽板６６を備えた板バネ８の斜視説明図である。
図１２に示すような形状の第三遮蔽板６６を備えた板バネ８を用いることにより、図１０を用いて説明したようにθ１＝θ２ではない構成を実現することができる。
【００３７】
図１３に第一ＬＤ１ａ及び第二ＬＤ１ｂの発光タイミング例を示す。ＡＰＣは画像形成に寄与する光線である同期光線ＢＤＬ及び走査光線ＳＬが走査するタイミングとは別のタイミングにて行う。図１３で示すところの同期光線発光信号５７の信号に基づき発光、発光光線の走査が行われた光線が同期光線ＢＤＬであり、走査光線発光信号５８の信号に基づき発光、発光光線の走査が行われた光線が走査光線ＳＬである。また、ＡＰＣ光線発光信号５９に基づき発光、発光光線の信号が行われた光線が走査ＡＰＣ光線３０である。
【００３８】
１つのＬＤから複数の光線を発光可能な半導体レーザーアレイ（以下ＬＤＡと呼ぶ）を光源として使用した場合、光線毎のＡＰＣを順次行う必要が生じ、ＡＰＣの実行時間が単一光線を発光するＬＤの場合と比較して長くなり、必然的にＡＰＣ光線発光信号５９の時間が長くなり、走査ＡＰＣ光線の領域が広くなることで板バネ８の一部である第三遮蔽板６６に反射した走査ＡＰＣ光線の反射光が発生しやすくなりフレアによる画像劣化を引き起こしやすくなりうる。このような問題に対して、図１１を用いて説明した第三遮蔽板６６に低反射率体６６ａを貼り付けた構成や図１２を用いて説明した第三遮蔽板６６の表面と裏面とで副走査方向の角度が異なる構成を適用することによって、走査ＡＰＣ光線の反射光に起因するフレアによる画像劣化を防止することができる。なお、ＬＤを複数個使用した場合、ＬＤＡを使用した場合に限らず、ＬＤＡを複数使用した光源部を用いた場合にも同様である。
【００３９】
なお、本発明は上記実施形態に限定されるものではない。即ち、本発明の骨子を逸脱しない範囲で種々変形して実施することができる。
【００４０】
以上、本実施形態によれば、光走査装置である書込装置５５は、光源である第一ＬＤ１ａ及び第二ＬＤ１ｂと、第一ＬＤ１ａ及び第二ＬＤ１ｂから出射された光線を偏向する光偏光器であるポリゴンミラー９とを備える。また、書込装置５５は、ポリゴンミラー９により偏向走査された偏向光線である走査光線ＳＬ及び同期光線ＢＤＬを対応する被走査面である感光体４０表面上へ導き結像させる走査光学系である複数のＦθレンズ１２を備える。また、書込装置５５は、第一ＬＤ１ａ及び第二ＬＤ１ｂから出射された光線を折り返させてポリゴンミラー９に向けて反射する反射鏡である折り返しミラー７を備えている。そして、書込装置５５は、折り返しミラー７の反射面から延長した位置に光を遮蔽する遮蔽部材である第三遮蔽板６６を備える。第三遮蔽板６６を備えることにより、光源である第一ＬＤ１ａ及び第二ＬＤ１ｂから出射されたフレア光線が折り返しミラー７の近傍の領域αを通過することを防止することができ、フレア光線がポリゴンミラー９に入射することなく感光体４０表面上に入射することを抑制することができる。これにより、フレア光線による画像への影響を抑制することができる。
【００４１】
書込装置５５は、光源を第一ＬＤ１ａ及び第二ＬＤ１ｂと２つ備え、一方の光源から出射された光線は感光体４０表面に到達するまでに、他方の光源から出射された光線と交差する。このように二つの光線が交差する構成であると、交差する前では二本の主光線の光軸が徐々に狭まるため、その間に遮蔽部材を設けることは困難である。このため、一つの光源から出射した光の主光線を通すための空間を設けるために、他の光源から出射した光のフレア光線が通過する空間を作ってしまい、感光体到達フレアＭＦＬが感光体４０に到達していた。これに対して、本実施形態の書込装置５５であれば、折り返しミラー７の側方に第三遮蔽板６６を設けているため、二つの光線の間に遮蔽部材を設ける必要がなく、容易に感光体到達フレアＭＦＬが感光体４０に到達することを防止することができる。
【００４２】
第三遮蔽板６６を、折り返しミラー７を書込装置５５本体に対して固定する固定部材である板バネ８に一体に形成したことによって、部品点数の増加を防止し、且つ、高い精度で第三遮蔽板６６を設置することができる。
【００４３】
また、図９及び図１０を用いて説明したように、第三遮蔽板６６に入射した光線である感光体到達フレアＭＦＬの反射光が光源である第一ＬＤ１ａ及び第二ＬＤ１ｂ以外の箇所に到達するように配置することにより、光源の内部モニタの誤検知により発光光量の低下をすることを防止し、内部モニタの誤検知に起因する画像劣化を防止することができる。
【００４４】
また、図９を用いて説明したように、第三遮蔽板６６は、第一ＬＤ１ａ及び第二ＬＤ１ｂから出射された光線がポリゴンミラー９により偏向された偏向光線のうち、画像形成に寄与しない部分を遮蔽し、偏向光線のうち走査ＡＰＣ光線３０が第三遮蔽板６６に入射した反射光であるＡＰＣ反射光３４が感光体４０表面上の主走査方向の画像領域外の第四遮蔽部材７８に到達するように第三遮蔽板６６が配置されている。これにより、ＡＰＣ反射光３４が感光体４０の画像領域に入射することを防止することができ、ＡＰＣ反射光３４が感光体４０に到達することに起因する画像劣化を防止することができる。
【００４５】
また、図１０を用いて説明したように、第三遮蔽板６６は、第一ＬＤ１ａ及び第二ＬＤ１ｂから出射された光線がポリゴンミラー９により偏向された偏向光線のうち、画像形成に寄与しない部分を遮蔽し、偏向光線のうち走査ＡＰＣ光線３０が第三遮蔽板６６に入射した反射光であるＡＰＣ反射光３４が感光体４０表面上の副走査方向の画像領域外の第六遮蔽板７７に到達するように第三遮蔽板６６に角度をつけても良い。これにより、ＡＰＣ反射光３４が感光体４０の画像領域に入射することを防止することができ、ＡＰＣ反射光３４が感光体４０に到達することに起因する画像劣化を防止することができる。
【００４６】
また、第三遮蔽板６６の表面に反射防止塗装または反射防止加工が施すことにより、第三遮蔽板６６を設けることに起因する二次的な拡散光・反射光（フレア光）の発生を防止することができる。
【００４７】
また、図１１で示すように、第三遮蔽板６６の光源からの光線または偏向光線のうち、画像形成に寄与しない部分が照射される場所を含む場所に低反射率体６６ａを取り付けてもよい。これにより、第三遮蔽板６６を設けることに起因する二次的な拡散光・反射光（フレア光）の発生を防止することができる。
【００４８】
また、光走査手段として書込装置５５を備える画像形成装置であるプリンタ１００は、フレア光線による画像への影響を抑制することができるため、良好な画像形成を行うことができる。
【図面の簡単な説明】
【００４９】
【図１】本実施形態のプリンタの概略構成図。
【図２】本実施形態の書込装置を上方から見た平面図。
【図３】本実施形態の書込装置を側方から見た断面図。
【図４】折り返しミラー近傍の拡大説明図。
【図５】板バネの斜視図。
【図６】板バネによって折り返しミラーをオプティカルハウジングに固定した状態を説明する３面図、（ａ）は上面図、（ｂ）は正面図、（ｃ）は側面図。
【図７】光源から出射された光線が感光体の表面に照射される状態を模式的に示した上面図。
【図８】第三遮蔽部材に入射した光線の反射光が光源や感光体の画像領域に入射する状態を模式的に示した上面図。
【図９】第三遮蔽部材に入射した光線の反射光が光源や感光体の画像領域に入射しないように、反射光の向きを主走査方向にずらした状態を模式的に示した上面図。
【図１０】第三遮蔽部材に入射した光線の反射光が光源や感光体の画像領域に入射しないように、反射光の向きを副走査方向にずらした状態を模式的に示した側面図。
【図１１】第三遮蔽部材に低反射率体を貼り付けた板バネの斜視説明図。
【図１２】表面と裏面とで副走査方向の角度が異なる第三遮蔽部材を備えた板バネの斜視説明図。
【図１３】第一ＬＤ及び第二ＬＤの発光タイミング例を示す図。
【図１４】従来の光走査装置の一例を示す構成図。
【符号の説明】
【００５０】
１ａ  第一ＬＤ
１ｂ  第二ＬＤ
２ａ  第一コリメータレンズ
２ｂ  第二コリメータレンズ
３  ＬＤユニット
４ａ  第一主光線
４ｂ  第二主光線
５  アパーチャ
６  シリンドリカルレンズ
７  折り返しミラー
８  板バネ
９  ポリゴンミラー
１０  ポリゴンモータ
１１  同期検知板
１２  Ｆθレンズ
２９  ＡＰＣ光線
３０  走査ＡＰＣ光線
３１  上部ミラー
３２  下部ミラー
３３  第二下部ミラー
３４  ＡＰＣ反射光
４０  感光体
５５  書込装置
５５ａ  ハウジングリブ
５５ｂ  底面
６０  窓部
６４  第一遮蔽板
６５  第二遮蔽板
６６  第三遮蔽板
６６ａ  低反射率体
６６ｂ  マイラー
７５  垂線
７６  第五遮蔽板
７７  第六遮蔽板
７８  第四遮蔽部材
８１  ネジ
ＢＤＬ    同期光線
ＦＬａ１  第一フレア光線
ＦＬａ２  第二フレア光線
ＦＬｂ３  第三フレア光線
ＦＬｂ４  第四フレア光線
ＭＦＬ  感光体到達フレア
ＳＬ  走査光線
【図１】
2010032682.tif 000003
【図２】
2010032682.tif 000004
【図３】
2010032682.tif 000005
【図４】
2010032682.tif 000006
【図５】
2010032682.tif 000007
【図６】
2010032682.tif 000008
【図７】
2010032682.tif 000009
【図８】
2010032682.tif 000010
【図９】
2010032682.tif 000011
【図１０】
2010032682.tif 000012
【図１１】
2010032682.tif 000013
【図１２】
2010032682.tif 000014
【図１３】
2010032682.tif 000015
【図１４】
2010032682.tif 000016